(57)【要約】【課題】小型化を確保しつつ電池と記録媒体の着脱操作性の向上を図ったカメラ、電池ユニット、およびアダプタを提供する。【解決手段】カメラ１の前面に装着自在に設けられ、装着された状態でカメラのグリップ外観を形成し、カメラ駆動用の電池２８を内蔵する電池ユニット部２０と、カメラ１に設けられ、電池ユニット部２０が装着されるバッテリ収納部３と、このバッテリ収納部３に装着された状態の電池ユニット部２０で遮蔽される部分に設けられる画像記録用の記録媒体３０が装填される媒体装填用の装填口１０を備える。グリップ部の電池を外すと、記録媒体３０が露呈されるので、電池と媒体の収納場所を探す必要がなく、直ぐに分かる。  【選択図】  図１
2008172687.tif 000002
【特許請求の範囲】
【請求項１】
カメラ本体の前面に装着自在に設けられ、装着された状態でカメラのグリップ外観を形成し、カメラ駆動用の電池を内蔵する電池ユニット部と、
上記カメラ本体に設けられ、上記電池ユニット部が装着される収納部と、
この収納部に装着された状態の上記電池ユニット部で遮蔽される部分に設けられる画像記録用の記録媒体が装填される媒体装填部と、
を備えることを特徴とするカメラ。
【請求項２】
上記収納部は、カメラ本体の前面に掘り込むように設けられ、一方の側面が装着される上記電池ユニット部が入り込む開放口で、他方の側面が装着される上記電池ユニット部を止めるような壁面で構成され、
上記媒体装填部は上記収納部の上記壁面に位置するように設けられることを特徴とする請求項１に記載のカメラ。
【請求項３】
上記収納部は、上記電池ユニット部の形状に対応するよう略扁平な形状でカメラ本体の前面に掘り込まれるように形成され、
上記収納部の主面には、さらに上記記録媒体を上記媒体装填部まで導入するための凹部が設けられていることを特徴とする請求項１に記載のカメラ。
【請求項４】
上記電池ユニット部は、上記収納部への装着操作の際に、上記記録媒体が上記媒体装填部に装填されるように上記記録媒体の一部を押圧することを特徴とする請求項１乃至請求項３に記載のカメラ。
【請求項５】
上記電池ユニット部として内蔵される電池のサイズに応じて外形サイズの異なる複数種類、用意される中から、いずれか１つ選択される電池ユニット部が装着されることを特徴とする請求項１に記載のカメラ。
【請求項６】
上記電池ユニット部は、カメラ本体に装着されたときにカメラの前面に当たる部分が前に膨らむように、外形サイズが異なることを特徴とする請求項５に記載のカメラ。
【請求項７】
カメラ駆動用の電池を有し、
カメラ本体の前面に装着自在に設けられて装着された状態でカメラのグリップ外観を形成し、上記カメラに装着された状態で、記録媒体が装填されるようカメラ本体に設けられる媒体装填部を遮蔽することを特徴とする電池ユニット。
【請求項８】
上記電池ユニットは、上記カメラ本体に装着されたときに上記カメラの前面に当たる部分が前に膨らむように、外形サイズが異なる複数種類が用意されることを特徴とする請求項７に記載の電池ユニット。
【請求項９】
カメラ本体の前面に装着自在に設けられ、内部にカメラ駆動用の電池が備えられ、カメラに装着された状態では外観から隠れ、上記カメラから外された状態では露出されるような位置に画像記録用の記録媒体が装填される媒体装填部が配置されて、上記カメラ本体に装着された状態でカメラのグリップ外観を形成する電池ユニットを、挿脱自在に装着させる収納部を備えるアダプタ装置であって、
上記アダプタ装置は、対応するカメラ本体の外形サイズと略同一の外形サイズであることを特徴とするアダプタ装置。
【発明の詳細な説明】
【技術分野】
【０００１】
本発明は、カメラ、電池ユニット、およびアダプタ装置に関し、詳しくは、カメラ本体に着脱自在な電池ユニットと、これを備えたカメラおよび電池ユニット用のアダプタ装置に関する。
【背景技術】
【０００２】
コンパクトカメラは、単にカメラ性能が良いだけでは十分ではなく、小型で携帯性がよく、初心者でも取扱が簡単にできるように、構成されていることが望ましい。特に、デジタルカメラ等のカメラにおいては、電池と記録媒体はカメラ本体から頻繁に着脱されるアクセサリであり、アクセサリの交換は、初心者にとって取り扱いは簡単ではなく、戸惑いの原因となっている。そこで、電池や記録媒体のようなアクセサリの配置や取り扱いは、カメラの使い勝手を左右する要素になっている。
【０００３】
電池や記録媒体の配置の工夫例として、キーボードを有する電子機器ではあるが、特許文献１には、電池を収納する電池ケースを機器本体に着脱可能とし、この電池ケースによりメモリカード挿入口を覆うことが開示されている。この構成により、メモリカードの着脱にあたっては、電池ケースを外してから行わなければならないことから、通電中のメモリの挿入や抜き取りを防止することができる。
【特許文献１】実公平６−３４７８号公報
【０００４】
また、カメラの電池と記録媒体を一体的に構成し、本体から一体的に取り外しできるようにすることにより、利便性や小型化を図るデジタルカメラが提案されている。例えば、デジタルカメラに電力を供給するバッテリ装置自体に、カメラのデータを記録するメモリを着脱可能または一体的に設けたバッテリとそれを装着するカメラが提案されている（特許文献２）。
【特許文献２】特開２００４−２１３９２５号公報
【０００５】
さらに、ビデオカメラ分野では、バッテリをカメラ本体の背面に露出させて取り付くように構成させて、細長い本体の背面に大きなサイズのバッテリを取り付け使用できるものも知られている。
【発明の開示】
【発明が解決しようとする課題】
【０００６】
特許文献２に開示されているようなデジタルカメラは、電池と記録媒体を一体的に取り外しできるよう構成されており、初心者にとって、電池と記録媒体が別々に構成されている場合より使い勝手が良い。また、電池蓋を設けたカメラは一般的であるが、電池蓋は目立たず、電池の配置位置が分かりくいことが多い。勿論、背景技術で紹介したようなカメラ本体の背面にバッテリを設けたタイプ（例えばビデオカメラ）では、バッテリの存在位置は直ぐに分かるが、本体背面に突出しており、使い勝手が良いとは言えない。電池と記録媒体の着脱の操作性は、カメラ初心者にとって使い勝手の上で重要であり、従来のカメラでは、十分使い勝手が良いものではなかった。
【０００７】
本願発明は、上記課題に鑑み、小型化を確保しつつ電池と記録媒体の着脱操作性の向上を図ったカメラ、電池ユニット、およびアダプタ装置を提供することを目的とする。
【課題を解決するための手段】
【０００８】
上記目的を達成するため第１の発明に係わるカメラは、カメラ本体の前面に装着自在に設けられ、装着された状態でカメラのグリップ外観を形成し、カメラ駆動用の電池を内蔵する電池ユニット部と、上記カメラ本体に設けられ、上記電池ユニット部が装着される収納部と、この収納部に装着された状態の上記電池ユニット部で遮蔽される部分に設けられる画像記録用の記録媒体が装填される媒体装填部を備える。
【０００９】
第２の発明に係わるカメラは、上記第１の発明において、上記収納部は、カメラ本体の前面に掘り込むように設けられ、一方の側面が装着される上記電池ユニット部が入り込む開放口で、他方の側面が装着される上記電池ユニット部を止めるような壁面で構成され、上記媒体装填部は上記収納部の上記壁面に位置するように設けられる。
また、第３の発明に係わるカメラは、上記第１の発明において、上記収納部は、上記電池ユニット部の形状に対応するよう略扁平な形状でカメラ本体の前面に掘り込まれるように形成され、上記収納部の主面には、さらに上記記録媒体を上記媒体装填部まで導入するための凹部が設けられている。
【００１０】
さらに、第４の発明に係わるカメラは、上記第１乃至第３のいずれかの発明において、上記電池ユニット部は、上記収納部への装着操作の際に、上記記録媒体が上記媒体装填部に装填されるように上記記録媒体の一部を押圧する。
【００１１】
さらに、第５の発明に係わるカメラは、上記第１の発明において、上記電池ユニット部として内蔵される電池のサイズに応じて外形サイズの異なる複数種類、用意される中から、いずれか１つ選択される電池ユニット部が装着される。
さらに、第６の発明に係わるカメラは、上記第５の発明において、上記電池ユニット部は、カメラ本体に装着されたときにカメラの前面に当たる部分が前に膨らむように、外形サイズが異なる。
【００１２】
上記目的を達成するため第７の発明に係わる電池ユニットは、カメラ駆動用の電池を有し、カメラ本体の前面に装着自在に設けられて装着された状態でカメラのグリップ外観を形成し、上記カメラに装着された状態で、記録媒体が装填されるようカメラ本体に設けられる媒体装填部を遮蔽する。
【００１３】
第８の発明に係わる電池ユニットは、上記第７の発明において、上記電池ユニットは、上記カメラ本体に装着されたときに上記カメラの前面に当たる部分が前に膨らむように、外形サイズが異なる複数種類が用意される。
【００１４】
上記目的を達成するため第９の発明に係わるアダプタ装置は、カメラ本体の前面に装着自在に設けられ、内部にカメラ駆動用の電池が備えられ、カメラに装着された状態では外観から隠れ、上記カメラから外された状態では露出されるような位置に画像記録用の記録媒体が装填される媒体装填部が配置されて、上記カメラ本体に装着された状態でカメラのグリップ外観を形成する電池ユニットを、挿脱自在に装着させる収納部を備えるアダプタ装置であって、上記アダプタ装置は、対応するカメラ本体の外形サイズと略同一の外形サイズである。
【発明の効果】
【００１５】
本発明によれば、小型化を確保しつつ電池と記録媒体の着脱操作性の向上を図ったカメラ、電池ユニット、およびアダプタ装置を提供することができる。
【発明を実施するための最良の形態】
【００１６】
以下、図面に従って本発明を適用したデジタルカメラを用いて好ましい実施形態について説明する。図１は、第１実施形態に係わるデジタルカメラの外観図であり、図１（Ａ）は電池ユニット部２０をカメラ１に装着した状態における外観斜視図であり、図１（Ｂ）は電池ユニット部２０をカメラ１から外した状態における外観斜視図である。また、図２は電池ユニット部２０を裏面側からみた外観斜視図である。さらに、図３は、第１実施形態に係わるデジタルカメラの６面図であり、図３（Ａ）は正面図、図３（Ｂ）は左側面図、図３（Ｃ）は右側面図、図３（Ｄ）は平面図、図３（Ｅ）は底面図、図３（Ｆ）は背面図である。
【００１７】
カメラ本体部２の前面部２ｆのほぼ中央部には、レンズカバー７が設けられている。このレンズカバー７は、被写体像を形成するための撮影レンズを塵埃等から保護するためのカバーであり、使用時にはこのレンズカバー７は開放され、沈胴式の撮影レンズは、カメラ本体部２より突出する。カメラ本体部２の上面部２ｔには、レリーズボタン５とズームボタン６が配置されている。レリーズボタン５は、撮影準備動作や撮影動作を指示するためのボタンであり、またズームボタン６は、撮影レンズの焦点距離の変更を指示するためのボタンである。
【００１８】
カメラ本体部２の前面左側には、電池ユニット部２０が装着自在に取り付け可能に構成されている。この電池ユニット部２０を、カメラ本体部２から外すと、図１（Ｂ）に示すように、バッテリ収納部３が露呈する。バッテリ収納部３は、その中央部に設けられた平坦部３ａと、この平坦部３ａより一段、突出した面で構成される段部３ｂと、電池ユニット部２０が当て付く壁部３ｃと、平坦部３ａと段部３ｂとの間の段差面３ｄの各面から構成されている。壁部３ｃには、記録媒体３０をカメラ本体部２内の記録媒体収納部に装填するための装填口１０が設けられている。記録媒体３０は装填口１０に差し込まれ、ｇ２方向に押し込まれる。符号３０ｂ（破線）は、記録媒体３０が記録媒体収納部に収納され、後端付近が露呈している状態での記録媒体の外形を示す。なお、記録媒体３０としては、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成すればよい。
【００１９】
平坦部３ａには、電池ユニット部２０に収納された電池２８と接続するための本体接点部４が設けられている。また、バッテリ収納部３の下側の段差面３ｄには、電池ユニット部２０を係止するためのロックつめ８が設けられている。このロックつめ８はイジェクトボタン９に連動しており、イジェクトボタン９を左右に移動させることにより、ロックつめ８は、上下方向に進退する。電池ユニット部２０の段差面２０ｄとバッテリ収納部３の段差面３ｄとが嵌合し、バッテリ収納部３の平坦部３ａと段部３ｂが、電池ユニット部２０のそれぞれ対応する面に接し、電池ユニット部２０はカメラ本体部２に対し、ｇ１方向に摺動自在となっている。
【００２０】
電池ユニット部２０の前面側は、図１（Ｂ）に示すように、ほぼ平坦面からなり、グリップ部を形成する前面部２０ｆで構成されている。電池ユニット部２０の裏面側は、図２（Ａ）に示すように、その中央部はほぼ平坦面から構成された背面部２０ｂａで構成されており、この背面部２０ｂａには、ほぼ一列の複数の接点からなるユニット接点部２２が設けられている。背面部２０ｂａの上下には、背面部２０ｂａと段差のある段部２１が設けられており、両者の間には段差面２０ｄが設けられている。そして、電池ユニット部２０の紙面右側には、第２側面部２０ｃが設けられており、この第２側面部２０ｃはバッテリ収納部３の壁部３ｃと接する面である。
【００２１】
第２側面部２０ｃには凹部２３が設けられており、この凹部２３は第２側面部２０ｃが壁部３に当接した際に、記録媒体３０ｂの後端部と当接する位置に設けられている。また、凹部２３の形状は、装填口１０から飛び出た記録媒体３０の形状である３０ｂに相当する形状である。これにより記録媒体３０がカメラ本体部２内の記録媒体収納部に完全に挿入されていない場合には、凹部２３が記録媒体３０ｂの後端部を押圧し、定位置まで押し込むことができる。電池ユニット部２０の内部には、カメラ駆動用の充電タイプの電池２８が格納されている。
【００２２】
カメラ本体部２の右側面部２ｒには、図３（Ａ）および（Ｃ）に示すように、ストロボ１５が配置されている。このストロボ１５は、通常状態ではカメラ本体部２に内蔵されており、必要に応じてポップアップされ照射可能となる。また、カメラ１の左側面側において、カメラ本体部２の左側面部２ｍと電池ユニット部２０の側面部２０ｍがほぼ同一面となっている。カメラ本体部２の底面部２ｂｏには、イジェクトボタン９が配置されており、このイジェクトボタン９は、図３（Ｅ）に示す、ｐ方向に沿って摺動可能である。
【００２３】
カメラ本体部２の背面部２ｂａには、図３（Ｆ）に示すように、各種操作を行うための回転部材である操作ダイヤル１１と、各種操作を行うための操作ボタン１２が配置されている。また、背面側からみて左上部には、カメラ１の電源の投入指示（パワーオンとパワーオフ）を行うための電源ボタン１３が配置され、また背面左側から中央部にかけて、撮影済み画像表示、電子ファインダ表示および各種撮影情報の設定のための表示を行う表示部１４が配置されている。この表示部１４は液晶表示装置（ＬＣＤ）等で構成される。
【００２４】
このように構成されている本発明の第１実施形態の動作について説明する。まず、記録媒体３０をカメラ本体部２のバッテリ収納部３の壁部３ｃに設けた装填口１０に入れ、ｇ２方向に押し込み、記録媒体収納部に挿入する。次に、電池ユニット部２０の段差面２０と、バッテリ収納部３の段差面３ｄの位置を合わせて、電池ユニット部２０をカメラ本体部２に対して押し込むと、電池ユニット部２０の第２側面部２０ｃが壁部３ｃに当て付き、摺動停止となる。電池ユニット部２０が摺動停止となる位置まで移動すると、ロックつめ８が電池ユニット部２０に係合し、電池ユニット部２０は容易にカメラ本体部２から外れることがない。
【００２５】
また、このとき、記録媒体３０がカメラ本体部２内の記録媒体収納部に完全に押し込まれていない場合であっても、前述したように、壁部３ｃに第２側面部２０ｃが当接する際には、記録媒体３０は凹部２３によって完全に押し込まれる。さらに、電池ユニット部２０に設けられたユニット接点部２２（図２参照）と本体接点部４の接点が接し、導通状態となり、電池２８から給電可能となる。
【００２６】
電池ユニット部２０の高さ寸法はＨであり、カメラ本体部２の高さ寸法Ｈと同じであり、また、電池ユニット部２０の幅寸法Ｗ１は，バッテリ収納部３の幅寸法Ｗ１と同じであり、さらに、電池ユニット部２０の奥行き寸法Ｄ１は、バッテリ収納部３の奥行き寸法Ｄ１と同じである。このような寸法関係にあることから、電池ユニット部２０をバッテリ収納部３に収納すると、カメラ本体部２と電池ユニット部２０の各面は、ほぼ同一平面となる。このため、電池ユニット部２０がカメラ本体部２に対して、突出する面がなく、携帯性が非常に良い。
【００２７】
次に、電池ユニット部の変形例について、図４を用いて説明する。本発明の第１実施形態においては、電池ユニット部２０の前面部２０ｆと、カメラ本体部２の前面部２ｆは、ほぼ同一平面に形成されていたが、この変形例の大型電池ユニット部４０は、図４に示すように、カメラ１の縦方向に沿って膨らみのある曲面となっている。
【００２８】
すなわち、変形例における大型電池ユニット部４０に収納されるカメラ駆動用の電池４１は、大容量タイプのものであり、その前面側は縦軸に沿って膨らみにある形状となっている。そのため、大型電池ユニット部４０の前面部４０ｆも、電池４１の形状に合わせ、中央分が縦軸方向に沿って膨らみのある形状となっている。なお、この大型電池ユニット部４０も、第１実施形態と同様に、カメラの長手方向（図中ｇ１方向）に沿って摺動自在となっており、カメラ本体部２に装着可能となっている。
【００２９】
次に、電池２８の充電を行うためのアダプタ装置について、図５および図６を用いて説明する。図５（Ａ）は、電池ユニット部２０をアダプタ１００に装着した状態を示す外観斜視図であり、図５（Ｂ）は電池ユニット部２０をアダプタ１００から外した状態を示す外観斜視図であり、図５（Ｃ）はアダプタ１００によって充電を行う際の背面側からみた外観斜視図である。また、図６は電池ユニット部２０を装着した状態におけるアダプタ１００の６面図であり、図６（Ａ）は正面図、図６（Ｂ）は左側面図、図６（Ｃ）は右側面図、図６（Ｄ）は平面図、図６（Ｅ）は底面図、図６（Ｆ）は背面図である。
【００３０】
アダプタ１００に電池ユニット部２０を装着した状態では、図５（Ａ）に示すように、その外観は、カメラ１とほぼ同形状の直方体をなしており、縦はＨ、横はＷ、厚さはＤと、カメラ１とほぼ同寸法となっている。このように、カメラ１とほぼ同形状、同寸法に構成しているために、初心者にとって、アダプタへの装着がなじみ易く、使い易いという効果がある。
【００３１】
アダプタ１００の側面にはイジェクトボタン１１３が設けられている。このイジェクトボタン１１３は、カメラ１のイジェクトボタン９と同様の構成となっており、イジェクトボタン１１３を左右方向に移動させることにより、ロックつめ８と同等な形状のアダプタのロックつめ（不図示）を進退させる。
【００３２】
イジェクトボタン１１３を操作して、電池ユニット部２０のロックつめによる係合を解除し、電池ユニット部２０をｊ方向に移動させ外すと、図５（Ｂ）に示すように、アダプタ１００のバッテリ収納部１０１が露呈する。このバッテリ収納部１０１は、カメラ１のバッテリ収納部３とほぼ同形状、同寸法である。すなわち、バッテリ収納部１０１は、その中央部に設けられた平坦部１０１ａと、この平坦部１０１ａより一段、突出した面で構成される段部１０１ｂと、電池ユニット部２０が当て付く壁部１０１ｃと、平坦部１０１ａと段部１０１ｂとの間の段差面１０１ｄの各面から構成されている。
【００３３】
平坦部１０１ａには、電池ユニット部２０に収納された電池２８と接続するためのアダプタ接点部１０２が設けられている。また、バッテリ収納部１０１の下側の段差面１０１ｄには、電池ユニット部２０を係止するためのロックつめ（不図示）が設けられている。前述したように、このロックつめはイジェクトボタン１１３に連動しており、イジェクトボタン１１３を左右に移動させることにより、ロックつめは、上下方向に進退する。電池ユニット部２０の段差面２０ｄとバッテリ収納部１０１の段差面１０１ｄとが嵌合し、バッテリ収納部１０１の平坦部１０１ａと段部１０１ｂが、電池ユニット部２０のそれぞれ対応する面に接し、電池ユニット部２０はアダプタ１００に対し、ｊ方向に摺動自在となっている。
【００３４】
アダプタ１００の背面部１００ｂａには、ＡＣプラグ１１０を収納するプラグ収納部１０４が設けられており、ＡＣプラグ１１０は、使用時にはｋ方向に回動されて背面部１００ｂａに対して略直立され、不使用時にはｋ方向に回動してプラグ収納部１０４内に収納される。
【００３５】
このように構成されている本発明の第１実施形態におけるアダプタ１００の動作について説明する。まず、電池ユニット部２０の段差面２０ｄと、アダプタ１００のバッテリ収納部１０１の段差面１０１ｄの位置を合わせて、電池ユニット部２０をアダプタ１００に対して押し込むと、電池ユニット部２０の第２側面部２０ｃ（図２参照）が壁部１０１ｃに当て付き、摺動停止となる。電池ユニット部２０が摺動停止となる位置まで移動すると、ロックつめが電池ユニット部２０に係合し、電池ユニット部２０は容易にカメラ本体部２から外れることがない。
【００３６】
壁部１０１ｃに第２側面部２０ｃが当接すると、電池ユニット部２０に設けられたユニット接点部２２（図２参照）とアダプタ接点部１０２の接点が接し、導通状態となり、充電準備状態となる。
【００３７】
また、電池ユニット部２０をアダプタ１００のバッテリ収納部１０１に収納すると、アダプタ１００と電池ユニット部２０の各面は、ほぼ同一平面となる。このため、電池ユニット部２０がアダプタ１００に対して、突出する面がなく、カメラ１の場合と同様、携帯性が非常に良い。
【００３８】
電池ユニット部２０をアダプタ１００に装着した状態で、ＡＣプラグ１１０をｋ方向に回動させ引き起こし、このＡＣプラグ１１０を電気コンセントに挿入することにより、電池ユニット部２０内の電池２８の充電動作を行うことができる。
【００３９】
なお、上述のアダプタ１００の説明にあたっては、電池ユニット部２０と組み合わせて使用する場合について説明したが、大型電池ユニット部４０と組み合わせてしようすることも勿論可能である。
【００４０】
次に、本発明の第２実施形態について、図７および図８を用いて説明する。第１実施形態において、記録媒体３０はバッテリ収納部３の壁部３ｃに設けた挿入口１０から挿入していたが、第２実施形態においてはバッテリ収納部の平坦部を更に下げた媒体収納部に挿入口を設けるようにしている。第２実施形態の構成は、記録媒体３０の収納に関する構成が異なる他は、第１実施形態と同様であるので、相違点を中心に説明する。
【００４１】
図７は、第２実施形態に係わるデジタルカメラの外観図であり、図７（Ａ）は電池ユニット部２２０をカメラから外した状態における外観斜視図であり、図７（Ｂ）は電池ユニット部２２０を裏面側からみた外観斜視図である。電池ユニット部２２０を、カメラ２００から外すと、図７（Ａ）に示すように、バッテリ収納部２０３が露呈する。バッテリ収納部２０３は、その中央部に設けられた平坦部２０３ａと、この平坦部２０３ａより一段、突出した面で構成される段部２０３ｂと、電池ユニット部２２０が当て付く壁部２０３ｃと、平坦部２０３ａと段部２０３ｂとの間の段差面２０３ｄの各面から構成されている。
【００４２】
平坦面２０３ａの左側線から略中央にかけて媒体導入部２０３ｅが、平坦面２０３ａより一段低い平面（凹部）で形成されている。そして、この媒体導入部２０３ｅの中央側端部には、記録媒体３０の装填口２０３ｆが設けられている。この装填口２０３ｆの奥に記録媒体収納部が設けられている。符号３０ｂは、記録媒体３０が記録媒体収納部に収納され、後端付近が露呈している状態での記録媒体の外形を示す。
【００４３】
また、平坦部２０３ａには、電池ユニット部２２０に収納された電池と接続するための本体接点部２０４が設けられている。また、バッテリ収納部２０３の下側の段差面２０３ｄには、電池ユニット部２２０を係止するためのロックつめ２０８が設けられている。このロックつめ２０８はイジェクトボタン２０９に連動しており、イジェクトボタン２０９を左右に移動させることにより、ロックつめ２０８は、上下方向に進退する。電池ユニット部２２０の段差面２２０ｄとバッテリ収納部２０３の段差面２０３ｄとが嵌合し、バッテリ収納部２０３の平坦部２０３ａと段部２０３ｂが、電池ユニット部２２０のそれぞれ対応する面に接し、電池ユニット部２２０はカメラ２００に対し、ｇ方向に摺動自在となっている。
【００４４】
電池ユニット部２２０はカメラ駆動用の電池を内蔵し、その前面側は、ほぼ平坦面からなり、グリップ部を形成する前面部２２０ｆで構成されている。電池ユニット部２２０の裏面側は、図７（Ｂ）に示すように、その中央部はほぼ平坦面から構成された背面部２２０ｂａで構成されており、この背面部２２０ｂａの左側には、突部２２３が設けられている。この突部２２３は前述の媒体導入部２０３ｅに嵌合し摺動自在となっている。そして突部２２３の右端部は円弧部２２３ａとなっており、記録媒体３０の端部と当接し、記録媒体３０を記録媒体収納部に押し込む作用を有する。
【００４５】
また、背面部２２０ｂａの中央部には、ほぼ一列の複数の接点からなるユニット接点部２２２が設けられている。背面部２２０ｂａの上下（紙面では略左右）には、背面部２２０ｂａと段差のある段部２２１が設けられており、両者の間には段差面２２０ｄが設けられている。そして、電池ユニット部２２０の紙面右側には、第２側面部２２０ｃが設けられており、この第２側面部２２０ｃはバッテリ収納部２０３の壁部２０３ｃと接する面である。
【００４６】
このように、構成されている本発明の第２実施形態に係わるデジタルカメラの動作について説明する。電池ユニット部２２０をカメラ２００から外すには、第１実施形態と同様に、イジェクトボタン２０９によって係止を解除してから、電池ユニット部２２０をカメラ２００に対してｇ方向で左側に摺動すればよい。電池ユニット部２２０をカメラ２００から外すと、バッテリ収納部２０３が露呈する。この状態で、記録媒体３０をカメラ２００に装填するには、記録媒体３０を媒体導入部２０３ｅに沿って摺動させながら、装填口２０３ｆから記録媒体収納部に押し込む。ユーザーによって記録媒体３０が完全に押し込まれないとしても、電池ユニット２２０がカメラ２００に装着される際に、突部２２３の円弧部２２３ａによって、定位置まで記録媒体３０は押し込まれる。
【００４７】
また、記録媒体３０をカメラ２００から外すには、まず、電池ユニット部２２０をｇ方向で左側に摺動させ、バッテリ収納部２０３を露呈させる。この状態で記録媒体３０を記録媒体収納部から引き出せばよい。
【００４８】
このように本発明の第２実施形態に係わるデジタルカメラにおいては、グリップ部を兼ねる電池ユニット部２２０を、カメラ２００から外すと、記録媒体３０が露呈するので、電池２８と記録媒体３０の収納場所を探す手間がなくなり便利である。また、電源がオン状態で、記録媒体３０をカメラ２００から外してしまうこともなく、カメラ２００の回路機能を損なう虞もない。
【００４９】
次に、本発明の第２実施形態に係わるアダプタ装置について、図８を用いて説明する。アダプタ装置も、記録媒体３０の装填以外は、第１実施形態と同様であるので、相違点を中心に説明する。図８（Ａ）は、電池ユニット部２２０をアダプタ３００に装着した状態を示す外観斜視図であり、図８（Ｂ）は電池ユニット部２２０をアダプタ３００から外した状態を示す外観斜視図であり、図８（Ｃ）はアダプタ３００によって充電を行う際の背面側からみた外観斜視図である。
【００５０】
アダプタ１００に電池ユニット部２０を装着した状態では、図８（Ａ）に示すように、その外観は、カメラ１とほぼ同形状の直方体をなしており、カメラ２００とほぼ同寸法となっている。このため、第１実施形態の場合と同様、初心者にとって、アダプタへの装着がなじみ易く、使い易いという効果がある。
【００５１】
イジェクトボタン３０３を操作して、電池ユニット部２２０のロックつめ２０８による係合を解除し、電池ユニット部２２０をｊ方向に移動させ外すと、図８（Ｂ）に示すように、アダプタ３００のバッテリ収納部３０１が露呈する。このバッテリ収納部３０１は、カメラ２００のバッテリ収納部２０３とほぼ同形状、同寸法である。すなわち、バッテリ収納部３０１は、その中央部に設けられた平坦部３０１ａと、この平坦部３０１ａより一段、突出した面で構成される段部３０１ｂと、電池ユニット部２２０が当て付く壁部３０１ｃと、平坦部３０１ａと段部３０１ｂとの間の段差面３０１ｄの各面から構成されている。
【００５２】
また、平坦面３０１ａの左側線から略中央にかけて第２段部３０１ｅが、平坦面３０１ａより一段低い平面で形成されている。この第２段部３０１ｅは電池ユニット部２２０の突部２２３と干渉しないために設けられた段部である。さらに、平坦部３０１ａには、カメラ２００の場合と同様に、電池ユニット部２２０に収納された電池と接続するためのアダプタ接点部３０２が設けられている。
【００５３】
バッテリ収納部３０１の下側の段差面３０１ｄには、電池ユニット部２２０を係止するためのロックつめ（不図示）が設けられている。このロックつめはイジェクトボタン３０３に連動しており、イジェクトボタン３０３を左右に移動させることにより、ロックつめは、上下方向に進退する。電池ユニット部２２０の段差面２２０ｄとバッテリ収納部３０１の段差面３０１ｄとが嵌合し、バッテリ収納部３０１の平坦部３０１ａと段部３０１ｂが、電池ユニット部２２０のそれぞれ対応する面に接し、電池ユニット部２２０はアダプタ３００に対し、ｊ方向に摺動自在となっている。
【００５４】
アダプタ３００の背面部３００ｂａには、ＡＣプラグ３１０を収納するプラグ収納部３０４が設けられており、ＡＣプラグ３１０は、使用時にはｋ方向に回動され背面部３００ｂａに対して略直立され、不使用時にはｋ方向に回動してプラグ収納部３０４内に収納される。
【００５５】
このように構成されている本発明の第２実施形態におけるアダプタ３００の動作について説明する。まず、電池ユニット部２２０の段差面２２０ｄと、アダプタ３００のバッテリ収納部３０１の段差面３０１ｄの位置を合わせて、電池ユニット部２２０をアダプタ３００に対して押し込むと、電池ユニット部２２０の第２側面部２２０ｃ（図７（Ｂ）参照）が壁部３０１ｃに当て付き、摺動停止となる。電池ユニット部２２０が摺動停止となる位置まで移動すると、ロックつめが電池ユニット部２２０に係合し、電池ユニット部２２０は容易にアダプタ３００から外れることがない。
【００５６】
壁部３０１ｃに第２側面部２２０ｃが当接すると、電池ユニット部２２０に設けられたユニット接点部２２２（図７（Ｂ）参照）とアダプタ接点部３０２の接点が接し、導通状態となり、充電可能状態となる。
【００５７】
また、電池ユニット部２２０をアダプタ３００のバッテリ収納部３０１に収納すると、図８（Ａ）に示すように、アダプタ３００と電池ユニット部２２０の各面は、ほぼ同一平面となる。このため、電池ユニット部２２０がアダプタ３００に対して、突出する面がなく、カメラ２００の場合と同様、携帯性が非常に良い。
【００５８】
電池ユニット部２２０をアダプタ３００に装着した状態で、ＡＣプラグ３１０をｋ方向に回動させ引き起こし、このＡＣプラグ３１０を電気コンセントに挿入することにより、電池ユニット部２２０内の電池の充電動作を行うことができる。
【００５９】
以上、説明したように、本発明の各実施形態におけるデジタルカメラでは、カメラ１、２００の前面に装着自在に設けられ、装着された状態でカメラのグリップ外観を形成し、カメラ駆動用の電池２８を内蔵する電池ユニット部２０、２２０と、カメラ１、２００に設けられ、電池ユニット部２０、２２０が装着されるバッテリ収納部３、２０３と、このバッテリ収納部３、２０３に装着された状態の電池ユニット部２０、２２０で遮蔽される部分に設けられる画像記録用の記録媒体３０が装填される媒体装填用の装填口１０、２０３ｆを備える。このように構成されているので、電池を内蔵しているグリップ部を外すと、記録媒体３０が露呈されるので、電池と媒体の収納場所を探す必要がなく、直ぐに分かるという効果を奏する。
【００６０】
また、各実施形態において示されるように、電池ユニット部２０、２２０は、バッテリ収納部３、２０３への装着操作の際に、記録媒体３０が媒体装填口に確実に装填されるように記録媒体３０の一部を押圧する。すなわち、凹部２３や突部２２３によって、記録媒体３０を定位置に収納されるように、押圧している。このため、電池ユニットを装着することにより、記録媒体の装填も確実に行うことができる。
【００６１】
さらに、本発明の実施形態の変形例おける電池ユニット部４０は、カメラ１に装着されたときにカメラの前面に当たる部分が前に膨らむようにしている。このため、大容量電池の場合であっても、グリップ部を違和感がなく把持することができる。すなわち、電池ユニットのサイズの増大をカメラの前側に担わせるよう、グリップのサイズを大きくしているので、大型の電池ユニットを装着しても、操作性の悪化を防止することができる。
【００６２】
さらに、本実施形態に係わるアダプタ１００、３００は、カメラ本体の前面に装着自在に設けられ、内部にカメラ駆動用の電池が備えられ、カメラに装着された状態では外観から隠れ、上記カメラから外された状態では露出されるような位置に画像記録用の記録媒体３０が装填される媒体装填部が配置されて、カメラ本体に装着された状態でカメラのグリップ外観を形成する電池ユニット部２２０を、挿脱自在に装着させるバッテリ収納部３０１を備えており、このアダプタは、対応するカメラ本体の外形サイズと略同一の外形サイズである。このようにカメラとアダプタのサイズが略同一であるので、同一動作で装着できる。初心者でも、電池ユニットを簡単に装着することができる。また、アダプタ１００、３００に電池ユニット部２０，２２０を装着した際にも、略同一面となるので、携帯しやすく、使い易い。
【００６３】
なお、本発明の実施形態の説明にあたっては、コンパクトデジタルカメラを例に挙げて説明したが、これに限らず、デジタルカメラ等の電子撮像装置を組み込んだ機器でもよく、電池と記録媒体を使用する電子撮像装置であれば本発明を適用することが出来る。
【図面の簡単な説明】
【００６４】
【図１】本発明の第１実施形態に係わるデジタルカメラの外観図であり、図１（Ａ）は電池ユニット部をカメラに装着した状態における外観斜視図であり、図１（Ｂ）は電池ユニット部をカメラら外した状態における外観斜視図である。
【図２】本発明の第１実施形態に係る電池ユニット部を裏面側からみた外観斜視図である。
【図３】本発明の第１実施形態に係るデジタルカメラの６面図であり、図３（Ａ）は正面図、図３（Ｂ）は左側面図、図３（Ｃ）は右側面図、図３（Ｄ）は平面図、図３（Ｅ）は底面図、図３（Ｆ）は背面図である。
【図４】本発明の第１実施形態の変形例に係るデジタルカメラの外観斜視図である。
【図５】本発明の第１実施形態に係るアダプタの概観図であり、図５（Ａ）は、電池ユニット部をアダプタに装着した状態を示す外観斜視図であり、図５（Ｂ）は電池ユニット部をアダプタから外した状態を示す外観斜視図であり、図５（Ｃ）はアダプタによって充電を行う際の背面側からみた外観斜視図である。
【図６】本発明の第１実施形態に係るアダプタの６面図であり、図６（Ａ）は正面図、図６（Ｂ）は左側面図、図６（Ｃ）は右側面図、図６（Ｄ）は平面図、図６（Ｅ）は底面図、図６（Ｆ）は背面図である。
【図７】本発明の第２実施形態に係わるデジタルカメラの外観図であり、図７（Ａ）は電池ユニット部をカメラから外した状態における外観斜視図であり、図７（Ｂ）は電池ユニット部を裏面側からみた外観斜視図である。
【図８】本発明の第２実施形態に係るアダプタの概観図であり、図８（Ａ）は電池ユニット部をアダプタに装着した状態を示す外観斜視図であり、図８（Ｂ）は電池ユニット部をアダプタから外した状態を示す外観斜視図であり、図８（Ｃ）はアダプタによって充電を行う際の背面側からみた外観斜視図である。
【００６５】
1・・・カメラ、２・・・カメラ本体部、２ｆ・・・前面部、２ｔ・・・上面部、２ｂｏ・・・底面部、２ｍ・・・左側面部、２ｒ・・・右側面部、２ｂａ・・・背面部、３・・・バッテリ収納部、３ａ・・・平坦部、３ｂ・・・段部、３ｃ・・・壁部、３ｄ・・・段差面、
４・・・本体接点部、５・・・レリーズボタン、６・・・ズームボタン、７・・・レンズカバー、８・・・ロックつめ、９・・・イジェクトボタン、１０・・・装填口、１１・・・操作ダイヤル、１２・・・操作ボタン、１３・・・電源ボタン、１４・・・表示部、１５・・・ストロボ、２０・・・電池ユニット部、２０ｆ・・・前面部、２０ｍ・・・側面部、２０ｂａ・・・背面部、２０ｃ・・・第２側面部、２０ｄ・・・段差面、２１・・・段部、２２・・・ユニット接点部、２３・・・凹部、２８・・・電池、３０、３０ｂ・・・記録媒体、４０・・・大型電池ユニット部、４０ｆ・・・前面部、４１・・・電池、１００・・・アダプタ、１００ｆ・・・前面部、１００ｂａ・・・背面部、１０１・・・バッテリ収納部、１０１ａ・・・平坦部、１０１ｂ・・・段部、１０１ｃ・・・壁部、１０１ｄ・・・段差面、１０２・・・アダプタ接点部、１０４・・・プラグ収納部、１１０・・・ＡＣプラグ、２００・・・カメラ、２０３・・・バッテリ収納部、２０３ａ・・・平坦部、２０３ｂ・・・段部、２０３ｃ・・・壁部、２０３ｄ・・・段差面、２０３ｅ・・・媒体導入部、２０３ｆ・・・装填口、２０４・・・本体接点部、２０８・・・ロックつめ、２０９・・・イジェクトボタン、２２０・・・電池ユニット部、２２０ｂａ・・・背面部、２２０ｃ・・・壁部、２２０ｄ・・・段差面、２２１・・・段部、２２２・・…ユニット接点部、２２３・・・突部、２２３a・・・円弧部、３００・・・アダプタ、３００ｆ・・・前面部、３００ｂａ・・・背面部、３０１・・・バッテリ収納部、３０１ａ・・・平坦部、３０１ｂ・・・段部、３０１ｃ・・・壁部、３０１ｄ・・・段差面、３０１ｅ・・・第２段部、３０２・・・アダプタ接点部、３０３・・・イジェクトボタン、３０４・・・プラグ収納部、３１０・・・ＡＣプラグ、ｇ１、ｇ２、ｈ、ｊ・・・…挿脱方向、ｋ・・・…回動方向、ｐ・・・操作方向、Ｄ・・・奥行き、Ｈ・・・高さ、Ｗ・・・幅
【図１】
2008172687.tif 000003
【図２】
2008172687.tif 000004
【図３】
2008172687.tif 000005
【図４】
2008172687.tif 000006
【図５】
2008172687.tif 000007
【図６】
2008172687.tif 000008
【図７】
2008172687.tif 000009
【図８】
2008172687.tif 000010